【手続補正書】
【提出日】平成17年11月29日(2005.11.29)
【手続補正１】
【補正対象書類名】特許請求の範囲
【補正対象項目名】全文
【補正方法】変更
【補正の内容】
【特許請求の範囲】
【請求項１】
一定の自己免疫性疾患、アトピー症および自己免疫反応のいずれかに罹りやすい一定の被験体に対して一定のＴ細胞の応答により発現される前記自己免疫疾患、アトピー症および自己免疫反応のいずれかの治療および予防のいずれかのための薬物の製造において、一定の有効量のアポプトーシス細胞を利用する方法。
【請求項２】
請求項１に記載の方法であって、
前記自己免疫疾患、アトピー症および自己免疫反応のいずれかが、前記自己免疫疾患、アトピー症および自己免疫反応のいずれかに対応する一定の疾患標識の確認によって一定の被験体において検出される、方法。
【請求項３】
請求項２に記載の方法であって、
前記疾患標識が遺伝的標識、血清学的標識、免疫学的標識、遺伝子発現プロファイル、タンパク質発現プロファイル、および多型性から成る群から選択される、方法。
【請求項４】
請求項１に記載の方法であって、
前記病気の罹りやすさが前記被験体における自己免疫性疾患、アトピー症および自己免疫反応のいずれかに対応する一定の疾患標識の確認により決定される、方法。
【請求項５】
請求項４に記載の方法であって、
前記疾患標識が遺伝的標識、血清学的標識、免疫学的標識、遺伝子発現プロファイル、タンパク質発現プロファイル、および多型性から成る群から選択される、方法。
【請求項６】
請求項１に記載の方法であって、
前記薬物が１週間に１回、１ヶ月に１回、１ヶ月に２回、１ヶ月に３回、１ヶ月おき、３ヶ月ごと、６ヶ月ごと、９ヶ月ごと、１年に１回から成る群から選択される一定の投薬の予定に従って投与される、方法。
【請求項７】
請求項１に記載の方法であって、
前記アポプトーシス細胞が一定の液体の懸濁物である、方法。
【請求項８】
請求項７に記載の方法であって、
前記アポプトーシス細胞が前記液体の懸濁物の中における細胞の全数の内の約１０％乃至約９０％を占めている、方法。
【請求項９】
請求項８に記載の方法であって、
前記アポプトーシス細胞が前記液体の懸濁物の中における細胞の全数の内の約３０％乃至約７０％を占めている、方法。
【請求項１０】
請求項１記載の方法であって、
前記アポプトーシス細胞が一定の培養されている細胞系から由来しているアポプトーシス細胞を含む、方法。
【請求項１１】
請求項１０に記載の方法であって、
前記アポプトーシス細胞が体外処理を受けた培養されている細胞系の細胞を含む、方法。
【請求項１２】
請求項１１に記載の方法であって、
前記体外処理が種々の抗体、化学療法物質、放射線、体外フォトフォレーシス、超音波、タンパク質、および酸化剤から成る群から選択される、方法。
【請求項１３】
請求項１に記載の方法であって、
前記アポプトーシス細胞は前記薬物が投与される前記被験体の血液細胞に対して適合性を有する血液細胞を含む、方法。
【請求項１４】
請求項１３に記載の方法であって、
前記アポプトーシス細胞が体外処理を受けた血液細胞を含む、方法。
【請求項１５】
請求項１４に記載の方法であって、
前記体外処理が種々の抗体、化学療法物質、放射線、体外フォトフォレーシス、超音波、タンパク質、および酸化剤から成る群から選択される、方法。
【請求項１６】
請求項１３に記載の方法であって、
前記血液細胞が前記被験体の血液細胞を含む、方法。
【請求項１７】
請求項１３に記載の方法であって、
前記血液細胞が前記被験体に対して適合性を有する白血球を含む、方法。
【請求項１８】
請求項１７に記載の方法であって、
前記血液細胞は前記薬物が投与される前記被験体の血液細胞を含む、方法。
【請求項１９】
請求項１７に記載の方法であって、
前記血液細胞がＴ細胞を含む、方法。
【請求項２０】
請求項１９に記載の方法であって、
前記血液細胞が前記被験体の血液細胞を含む、方法。
【請求項２１】
請求項１に記載の方法であって、
前記有効量のアポプトーシス細胞が前記薬物が投与される前記被験体の体重の１キログラム当たりに約１０，０００乃至約１０，０００，０００個のアポプトーシス細胞を含む一定の投与量のアポプトーシス細胞を含む、方法。
【請求項２２】
請求項２１に記載の方法であって、
前記投与量が前記被験体の体重の１キログラム当たりに約５００，０００乃至約５，０００，０００個のアポプトーシス細胞を含む、方法。
【請求項２３】
請求項２２に記載の方法であって、
前記投与量が前記被験体の体重の１キログラム当たりに約１，５００，０００乃至約４，０００，０００個のアポプトーシス細胞を含む、方法。
【請求項２４】
請求項１に記載の方法であって、
前記自己免疫性疾患が円形脱毛症、硬直性脊椎炎、抗リン脂質症候群、自己免疫性アジソン病、自己免疫性溶血性貧血、自己免疫性肝炎、ベーチェット病、水泡性類天疱瘡、心筋症、セリアック・スプルー皮膚炎、慢性疲労性免疫機能不全症候群（ＣＦＩＤＳ）、慢性炎症性脱髄性多発ニューロパシー、チャーグ−ストラウス症候群、瘢痕性類天疱瘡、クレスト（CREST）症候群、寒冷凝集素病、クローン病、円板状狼瘡、必須混合クリオグロブリン血症、線維筋痛−線維筋炎、グレーヴズ病、ギャン−バレー症候群、ハシモト甲状腺炎、突発性肺線維症、突発性血小板減少性紫斑病（ＩＴＰ）、ＩｇＡ腎症、インスリン依存性糖尿病、若年性関節炎、扁平苔癬、メニエール病、混合結合組織病、多発性硬化症、重症筋無力症、尋常性天疱瘡、悪性貧血、結節性多発性動脈炎、多腺症候群、リウマチ性多発性筋痛、多発性筋炎および皮膚筋炎、一次性無ガンマグロブリン血症、一次性胆汁性肝硬変、乾癬、レイノー現象、ライター症候群、リウマチ熱、リウマチ性関節炎、サルコイドーシス、硬皮症、シェーグレン症候群、スティッフマン症候群、系統的狼瘡紅斑症、タカヤス動脈炎、側頭動脈縁／巨細胞性動脈炎、潰瘍性結腸炎、ブドウ膜炎、脈管炎、白斑、およびヴェーゲナー肉芽腫症から成る群から選択される、方法。
【請求項２５】
請求項１に記載の方法であって、
前記アトピー症がアトピー性皮膚炎、外因性気管支ぜん息、じんま疹、アレルギー性鼻炎、およびアレルギー性胃腸炎から成る群から選択される、方法。
【請求項２６】
請求項１に記載の方法であって、
前記自己免疫反応が器官移植、組織移植、骨髄移植、および幹細胞移植から成る群から選択される一定の移植に付随している、方法。
【請求項２７】
請求項１に記載の方法であって、
前記自己免疫反応が自己免疫性疾患およびアトピー症から成る群から選択される一定の疾患に付随している、方法。
【請求項２８】
対宿主性移植片病、移植片拒絶反応および埋設物拒絶反応のいずれかの治療および予防のいずれかのための薬物の製造において、一定の有効量のアポプトーシス細胞を利用する方法。
【請求項２９】
請求項２８に記載の方法であって、
当該移植片および埋設物のいずれかを採取する前に前記薬物が移植片のドナーおよび埋設物のドナーのいずれかに投与される、方法。
【請求項３０】
請求項２８に記載の方法であって、
前記アポプトーシス細胞が一定の液体の懸濁物である、方法。
【請求項３１】
請求項３０に記載の方法であって、
前記アポプトーシス細胞が前記液体の懸濁物の中における細胞の全数の内の約１０％乃至約９０％を占めている、方法。
【請求項３２】
請求項３１に記載の方法であって、
前記アポプトーシス細胞が前記液体の懸濁物の中における細胞の全数の内の約３０％乃至約７０％を占めている、方法。
【請求項３３】
請求項２８に記載の方法であって、
前記アポプトーシス細胞が一定の培養されている細胞系から由来しているアポプトーシス細胞を含む、方法。
【請求項３４】
請求項３３に記載の方法であって、
前記アポプトーシス細胞が体外処理を受けた培養されている細胞系の細胞を含む、方法。
【請求項３５】
請求項３４に記載の方法であって、
前記体外処理が種々の抗体、化学療法物質、放射線、体外フォトフォレーシス、超音波、タンパク質、および酸化剤から成る群から選択される、方法。
【請求項３６】
請求項２９に記載の方法であって、
前記アポプトーシス細胞が前記ドナーの血液細胞に対して適合性を有する血液細胞を含む、方法。
【請求項３７】
請求項３６に記載の方法であって、
前記血液細胞が体外処理を受けた血液細胞を含む、方法。
【請求項３８】
請求項３７に記載の方法であって、
前記体外処理が種々の抗体、化学療法物質、放射線、体外フォトフォレーシス、超音波、タンパク質、および酸化剤から成る群から選択される、方法。
【請求項３９】
請求項３６に記載の方法であって、
前記血液細胞が前記ドナーの固有の血液細胞を含む、方法。
【請求項４０】
請求項３６に記載の方法であって、
前記血液細胞が前記ドナーの白血球に対して適合性を有する白血球を含む、方法。
【請求項４１】
請求項４０に記載の方法であって、
前記血液細胞が前記ドナーの血液細胞を含む、方法。
【請求項４２】
請求項４０に記載の方法であって、
前記血液細胞がＴ細胞を含む、方法。
【請求項４３】
請求項４２に記載の方法であって、
前記血液細胞が前記ドナーの血液細胞を含む、方法。
【請求項４４】
請求項２９に記載の方法であって、
前記有効量のアポプトーシス細胞は前記薬物が投与されるドナーの体重の１キログラム当たりに約１０，０００乃至約１０，０００，０００個のアポプトーシス細胞を含む一定の投与量のアポプトーシス細胞を含む、方法。
【請求項４５】
請求項４４に記載の方法であって、
前記投与量は前記薬物が投与されるドナーの体重の１キログラム当たりに約５００，０００乃至約５，０００，０００個のアポプトーシス細胞を含む、方法。
【請求項４６】
請求項４５に記載の方法であって、
前記投与量は前記薬物が投与される前記ドナーの体重の１キログラム当たりに約１，５００，０００乃至約４，０００，０００個のアポプトーシス細胞を含む、方法。
【請求項４７】
請求項２８および２９のいずれかに記載の方法であって、
一定の受容体が当該移植片および埋設物のいずれかを受容する前に前記薬物が移植片および埋設物の受容体のいずれかに投与される、方法。
【請求項４８】
請求項４７に記載の方法であって、
前記薬物は、当該移植片および埋設物のいずれかの受容体に、前記受容体が前記移植片を受容する前の１週間に２日間、前記受容体が前記移植片を受容する前の１週間に３日間、前記受容体が前記移植片を受容する前の２週間において１週間に２日間、および前記受容体が前記移植片を受容する前の３週間において１週間に３日間から成る群から選択される一定の投薬の予定に従って投与される、方法。
【請求項４９】
請求項４７に記載の方法であって、
前記アポプトーシス細胞が前記受容体に対して適合性を有する血液細胞を含む、方法。
【請求項５０】
請求項４９に記載の方法であって、
前記血液細胞が体外処理を受けている、方法。
【請求項５１】
請求項５０に記載の方法であって、
前記体外処理が種々の抗体、化学療法物質、放射線、体外フォトフォレーシス、超音波、タンパク質、および酸化剤から成る群から選択される、方法。
【請求項５２】
請求項４９に記載の方法であって、
前記血液細胞が前記受容体の血液細胞を含む、方法。
【請求項５３】
請求項４９に記載の方法であって、
前記血液細胞が前記受容体に対して適合性を有する白血球を含む、方法。
【請求項５４】
請求項５３に記載の方法であって、
前記血液細胞が前記受容体の血液細胞を含む、方法。
【請求項５５】
請求項５３に記載の方法であって、
前記血液細胞がＴ細胞を含む、方法。
【請求項５６】
請求項５５に記載の方法であって、
前記血液細胞が前記受容体の血液細胞を含む、方法。
【請求項５７】
請求項４７に記載の方法であって、
前記有効量のアポプトーシス細胞が前記受容体の体重の１キログラム当たりに約１０，０００乃至約１０，０００，０００個のアポプトーシス細胞を含む一定の投与量のアポプトーシス細胞を含む、方法。
【請求項５８】
請求項５７に記載の方法であって、
前記投与量が前記受容体の体重の１キログラム当たりに約５００，０００乃至約５，０００，０００個のアポプトーシス細胞を含む、方法。
【請求項５９】
請求項５８に記載の方法であって、
前記投与量が前記受容体の体重の１キログラム当たりに約１，５００，０００乃至約４，０００，０００個のアポプトーシス細胞を含む、方法。
【請求項６０】
請求項２８、２９および４７のいずれかに記載の方法であって、
前記受容体が前記移植片および埋設物のいずれかを受容した後に前記薬物が前記受容体に投与される、方法。
【請求項６１】
請求項６０に記載の方法であって、
前記薬物が１週間に１回、１ヶ月に１回、１ヶ月に２回、１ヶ月に３回、１ヶ月おき、３ヶ月ごと、６ヶ月ごと、９ヶ月ごと、１年に１回から成る群から選択される一定の投薬の予定に従って投与される、方法。
【請求項６２】
請求項２８に記載の方法であって、
前記移植片が器官、組織、幹細胞、および骨髄から成る群から選択される、方法。
【請求項６３】
請求項６２に記載の方法であって、
前記器官移植片が同族移植片、同種移植片、および異種移植片から成る群から選択される一定の器官移植片である、方法。
【請求項６４】
請求項６２に記載の方法であって、
前記器官が心臓、肝臓、膵臓、ランゲルハンス島、腎臓、肺、咽頭、幹細胞、目、角膜、筋肉、および皮膚から成る群から選択される、方法。
【請求項６５】
請求項６２に記載の方法であって、
前記器官が人間、人工物、クローン体、および哺乳類動物から成る群から選択される、方法。
【請求項６６】
請求項６５に記載の方法であって、
前記人工物の器官が心臓、肝臓、膵臓、腎臓、肺、ランゲルハンス島、咽頭、血液、幹細胞、目、角膜、筋肉、および皮膚から成る群から選択される、方法。
【請求項６７】
請求項６２に記載の方法であって、
前記組織移植片が自己移植片、同族移植片、同種移植片、および異種移植片から成る群から選択される一定の組織移植片である、方法。
【請求項６８】
請求項６２に記載の方法であって、
前記組織が軟骨、骨、肝臓、小腸、神経、副腎髄質組織、胎児胸腺組織、および甲状腺傍組織から成る群から選択される、方法。
【請求項６９】
請求項６２に記載の方法であって、
前記組織が人間、人工物、クローン体、および哺乳類動物から成る群から選択される、方法。
【請求項７０】
請求項６９に記載の方法であって、
前記人工物の組織が軟骨、骨、肝臓、小腸、神経、副腎髄質組織、胎児胸腺組織、および甲状腺傍組織から成る群から選択される、方法。
【請求項７１】
請求項６２に記載の方法であって、
前記幹細胞移植片が同種移植片および異種移植片から成る群から選択される、方法。
【請求項７２】
請求項６２に記載の方法であって、
前記幹細胞が外胚葉、内胚葉、間葉、およびこれらから由来している任意の細胞から成る群から選択される、方法。
【請求項７３】
請求項６２に記載の方法であって、
前記骨髄移植片が同種移植片および異種移植片から成る群から選択される、方法。
【請求項７４】
請求項２８に記載の方法であって、
前記インプラントが脊椎、椎骨、骨修復、骨置換、関節置換、金属プレート、顔面、毛髪、コラーゲン、前立腺種、胸部、ホルモン、ペースメーカー、除細動器、蝸牛、筋肉、および皮質のインプラントから成る群から選択される、方法。
【請求項７５】
一定のＴ細胞の応答により発現される前記自己免疫疾患、アトピー症および自己免疫反応のいずれかの治療および予防のいずれかのための薬物の製造において血液を利用する方法であって、
前記血液は一定の光活性化可能な化合物を有する前記疾患および反応のいずれかに罹りやすい一定の被験体の血液を含み、一定の光活性化可能な化合物を有する前記血液は前記光活性化可能な化合物を活性化する一定の波長の光により処理される、方法。
【請求項７６】
請求項７５に記載の方法であって、
前記薬物が前記被験体における前記自己免疫性疾患、アトピー症および自己免疫反応のいずれかに対応する一定の疾患標識の確認後に投与される、方法。
【請求項７７】
請求項７６に記載の方法であって、
前記疾患標識が遺伝的標識、血清学的標識、免疫学的標識、遺伝子発現プロファイル、タンパク質発現プロファイル、および多型性から成る群から選択される、方法。
【請求項７８】
請求項７５に記載の方法であって、
前記病気の罹りやすさが前記被験体における自己免疫性疾患に対応する一定の疾患標識の確認により決定される、方法。
【請求項７９】
請求項７８に記載の方法であって、
前記疾患標識が遺伝的標識、血清学的標識、免疫学的標識、遺伝子発現プロファイル、タンパク質発現プロファイル、および多型性から成る群から選択される、方法。
【請求項８０】
請求項７５に記載の方法であって、
前記薬物が１週間に１回、１ヶ月に１回、１ヶ月に２回、１ヶ月に３回、１ヶ月おき、３ヶ月ごと、６ヶ月ごと、９ヶ月ごと、および１年に１回から成る群から選択される一定の予定に従って前記被験体に投与されることを含む、方法。
【請求項８１】
請求項７５に記載の方法であって、
前記光活性化可能な化合物が一定のソラレンおよびソラレン誘導体のいずれかを含む、方法。
【請求項８２】
請求項８１に記載の方法であって、
前記ソラレンおよびソラレン誘導体のいずれかが８−メトキシソラレンを含む、方法。
【請求項８３】
請求項８１に記載の方法であって、
前記ソラレンおよびソラレン誘導体のいずれかがアモトサレンを含む、方法。
【請求項８４】
請求項７５に記載の方法であって、
前記自己免疫性疾患が円形脱毛症、硬直性脊椎炎、抗リン脂質症候群、自己免疫性アジソン病、自己免疫性溶血性貧血、自己免疫性肝炎、ベーチェット病、水泡性類天疱瘡、心筋症、セリアック・スプルー皮膚炎、慢性疲労性免疫機能不全症候群（ＣＦＩＤＳ）、慢性炎症性脱髄性多発ニューロパシー、チャーグ−ストラウス症候群、瘢痕性類天疱瘡、クレスト（CREST）症候群、寒冷凝集素病、クローン病、円板状狼瘡、必須混合クリオグロブリン血症、線維筋痛−線維筋炎、グレーヴズ病、ギャン−バレー症候群、ハシモト甲状腺炎、突発性肺線維症、突発性血小板減少性紫斑病（ＩＴＰ）、ＩｇＡ腎症、インスリン依存性糖尿病、若年性関節炎、扁平苔癬、メニエール病、混合結合組織病、多発性硬化症、重症筋無力症、尋常性天疱瘡、悪性貧血、結節性多発性動脈炎、多腺症候群、リウマチ性多発性筋痛、多発性筋炎および皮膚筋炎、一次性無ガンマグロブリン血症、一次性胆汁性肝硬変、乾癬、レイノー現象、ライター症候群、リウマチ熱、リウマチ性関節炎、サルコイドーシス、硬皮症、シェーグレン症候群、スティッフマン症候群、系統的狼瘡紅斑症、タカヤス動脈炎、側頭動脈縁／巨細胞性動脈炎、潰瘍性結腸炎、ブドウ膜炎、脈管炎、白斑、およびヴェーゲナー肉芽腫症から成る群から選択される、方法。
【請求項８５】
請求項７５に記載の方法であって、
前記アトピー症がアトピー性皮膚炎、外因性気管支ぜん息、じんま疹、アレルギー性鼻炎、およびアレルギー性胃腸炎から成る群から選択される、方法。
【請求項８６】
請求項７５に記載の方法であって、
前記自己免疫反応が器官移植片、組織移植片、骨髄移植片、および幹細胞移植片から成る群から選択される一定の移植片に付随している、方法。
【請求項８７】
請求項７５に記載の方法であって、
前記自己免疫反応が自己免疫性疾患およびアトピー症から成る群から選択される一定の疾患に付随している、方法。
【請求項８８】
対宿主性移植片病、移植片拒絶反応および埋設物拒絶反応のいずれかの治療および予防のいずれかのための薬物の製造において、血液を利用する方法であって、
前記血液は一定の光活性化可能な化合物を有する移植片および埋設物のいずれかのドナーおよび受容体のいずれかの血液を含み、一定の光活性化可能な化合物を有する前記血液は前記光活性化可能な化合物を活性化する一定の波長の光により処理される、方法。
【請求項８９】
請求項８８に記載の方法であって、
前記移植片および埋設物のいずれかを採取する前に前記薬物が移植片および埋設物のいずれかのドナーに投与される、方法。
【請求項９０】
請求項８８に記載の方法であって、
前記光活性化可能な化合物が一定のソラレンおよびソラレン誘導体のいずれかを含む、方法。
【請求項９１】
請求項８８に記載の方法であって、
前記ソラレンおよびソラレン誘導体のいずれかが８−メトキシソラレンを含む、方法。
【請求項９２】
請求項９０に記載の方法であって、
前記ソラレンおよびソラレン誘導体のいずれかがアモトサレンを含む、方法。
【請求項９３】
請求項８８および８９のいずれかに記載の方法であって、
前記移植片および埋設物のいずれかを前記受容体が受容する前に前記薬物が前記受容体に投与される、方法。
【請求項９４】
請求項９３に記載の方法であって、
前記薬物は前記受容体が前記移植片および埋設物のいずれかを受容する前の１週間に２日間、前記受容体が前記移植片を受容する前の１週間に３日間、前記受容体が前記移植片を受容する前の２週間において１週間に２日間、および前記受容体が前記移植片を受容する前の３週間において１週間に３日間から成る群から選択される一定の予定に従って投与される、方法。
【請求項９５】
請求項９３に記載の方法であって、
前記光活性化可能な化合物が一定のソラレンおよびソラレン誘導体のいずれかを含む、方法。
【請求項９６】
請求項９５に記載の方法であって、
前記ソラレンおよびソラレン誘導体のいずれかが８−メトキシソラレンを含む、方法。
【請求項９７】
請求項９５に記載の方法であって、
前記ソラレンおよびソラレン誘導体のいずれかがアモトサレンを含む、方法。
【請求項９８】
請求項８８、８９および９３のいずれかに記載の方法であって、
前記受容体が前記移植片および埋設物のいずれかを受容した後に前記薬物が前記受容体に投与される、方法。
【請求項９９】
請求項９８に記載の方法であって、
前記薬物が１週間に１回、１ヶ月に１回、１ヶ月に２回、１ヶ月に３回、１ヶ月おき、３ヶ月ごと、６ヶ月ごと、９ヶ月ごと、１年に１回から成る群から選択される一定の予定に従って投与される、方法。
【請求項１００】
請求項８９に記載の方法であって、
前記移植片が器官、組織、幹細胞、および骨髄から成る群から選択される、方法。
【請求項１０１】
請求項１００に記載の方法であって、
前記器官移植片が同族移植片、同種移植片、および異種移植片から成る群から選択される一定の器官移植片である、方法。
【請求項１０２】
請求項１００に記載の方法であって、
前記器官が心臓、肝臓、膵臓、ランゲルハンス島、腎臓、肺、咽頭、幹細胞、目、角膜、筋肉、および皮膚から成る群から選択される、方法。
【請求項１０３】
請求項１００に記載の方法であって、
前記器官が人間、人工物、クローン体、および哺乳類動物から成る群から選択される、方法。
【請求項１０４】
請求項１０３に記載の方法であって、
前記人工物の器官が心臓、肝臓、膵臓、腎臓、肺、ランゲルハンス島、咽頭、血液、幹細胞、目、角膜、筋肉、および皮膚から成る群から選択される、方法。
【請求項１０５】
請求項１００に記載の方法であって、
前記組織移植片が自己移植片、同族移植片、同種移植片、および異種移植片から成る群から選択される一定の組織移植片である、方法。
【請求項１０６】
請求項１００に記載の方法であって、
前記組織が軟骨、骨、肝臓、小腸、神経、副腎髄質組織、胎児胸腺組織、および甲状腺傍組織から成る群から選択される、方法。
【請求項１０７】
請求項１００に記載の方法であって、
前記組織が人間、人工物、クローン体、および哺乳類動物から成る群から選択される、方法。
【請求項１０８】
請求項１０７に記載の方法であって、
前記人工物の組織が軟骨、骨、肝臓、小腸、神経、副腎髄質組織、胎児胸腺組織、および甲状腺傍組織から成る群から選択される、方法。
【請求項１０９】
請求項１００に記載の方法であって、
前記幹細胞移植片が同種移植片および異種移植片から成る群から選択される、方法。
【請求項１１０】
請求項１００に記載の方法であって、
前記幹細胞が外胚葉、内胚葉、間葉、およびこれらから由来している任意の細胞から成る群から選択される、方法。
【請求項１１１】
請求項１００に記載の方法であって、
前記骨髄移植片が同種移植片および異種移植片から成る群から選択される、方法。
【請求項１１２】
請求項８８に記載の方法であって、
前記インプラントが脊椎、椎骨、骨修復、骨置換、関節置換、金属プレート、顔面、毛髪、コラーゲン、前立腺種、胸部、ホルモン、ペースメーカー、除細動器、蝸牛、筋肉、および皮質から成る群から選択される、方法。
【請求項１１３】
請求項２９に記載の方法であって、
前記薬物が、前記移植片を採取する前の１週間に２日間、前記移植片を受容する前の１週間に３日間、前記移植片を受容する前の２週間において１週間に２日間、および前記移植片を受容する前の３週間において１週間に３日間から成る群から選択される一定の投薬の予定に従って前記ドナーに投与される、方法。
【請求項１１４】
請求項８８に記載の方法であって、
前記薬物が、前記移植片を採取する前の１週間に２日間、前記移植片を受容する前の１週間に３日間、前記移植片を受容する前の２週間において１週間に２日間、および前記移植片を受容する前の３週間において１週間に３日間から成る群から選択される一定の予定に従って前記ドナーに投与される、方法。